(57)【特許請求の範囲】
【請求項１】
筐体を開閉する開閉部材側に把手を含むラッチ機構を備え、その開閉部材がダイヤル錠及び作動体を具備しており、ダイヤル錠が照合することにより開閉部材のロック状態が解除されるように構成するとともに、
作動体は、ダイヤル錠の照合後に開閉部材が筐体から離れて開放される際に一方向に作動し、開閉部材が筐体に近づくことにより押し込まれて他方向に作動するものであり、前記他方向に作動する際に反発力を蓄積して、その反発力を利用して前記一方向への作動がなされるように構成しており、
この作動体の作動を利用してダイヤル錠を非照合状態にリセットするようにしていることを特徴とする施解錠装置。
【請求項２】
作動体が、押し込まれることによって閉止時における開閉部材と筐体との境界部分にまで没入し、開放されることによってその境界部分から突出するように配置される請求項１記載の施解錠装置。
【請求項３】
作動体が、開閉部材の閉止時に押し込まれることによって筐体と開閉部材とによって閉成される空間内に収容され、開閉部材の開成時に押し込み時とは逆方向に作動しながらその空間から開放されるように配置される請求項１又は２記載の施解錠装置。
【請求項４】
作動体が、筐体の収納空間の内壁に突き当たって押し込まれるようにしている請求項２記載の施開錠装置。
【請求項５】
ダイヤル錠は、開閉部材が筐体から離れる際の作動体の作動を利用して非照合状態にリセットされるように構成されている請求項１〜４記載の施解錠装置。
【請求項６】
作動体の作動を利用して、開閉部材を次に閉止位置に移動させただけで自動的にロックが掛かる状態に移行させるようにしている請求項１〜５記載の施解錠装置。
【請求項７】
ラッチ機構は、把手に入力される操作力を回転軸を含む伝達系を介してラッチに伝え、当該ラッチを解除可能とするものであり、その伝達系の一部を断接切替する位置にクラッチを設け、ダイヤル錠の非照合時にそのクラッチをオフにし、ダイヤル錠の照合時にそのクラッチをオンにするようにダイヤル錠とクラッチとを直接又は間接に関連づけている請求項１〜６記載の施解錠装置。
【請求項８】
開閉部材が引出であり、その引出の鏡板の裏面又は筐体の対応する前面の何れか一方に作動体を設けている請求項１〜７記載の施解錠装置。
【請求項９】
開閉部材が扉であり、その扉の吊元側の縁部若しくは縁部近傍の裏面又は筐体の対応する前面の何れか一方に、或いはその扉の反吊元側の縁部若しくは縁部近傍の裏面又は筐体の対応する前面の何れか一方に作動体を設けている請求項１〜７記載の施解錠装置。
【発明の詳細な説明】
【技術分野】
【０００１】
本発明は、ダイヤル錠を適切に用いて、引出や扉などの開閉部材の個別施錠を簡易な操作で行い得るようにした施解錠装置に関するものである。
【背景技術】
【０００２】
この種のダイヤル錠装置は、ラッチを備えた扉等に付随して設けられ、ダイヤル錠を照合させることでラッチを操作し得ないように拘束し、扉等を開ける際にはラッチの拘束を解除するように構成されるのが一般的である。
【０００３】
そのための具体的な操作としては、ダイヤルを照合させて開けた後には再びラッチを拘束する状態に戻す必要があることを踏まえると、ダイヤルを照合させて摘みを回すことにより解錠して把手を引くようにした旧来のものを始め、特許文献１に示されるようにダイヤルを照合させてから摘みを回して、解錠とゼロリセットを行うようにしたもの等が知られている。
【特許文献１】特公平６−６０５４４号公報
【発明の開示】
【発明が解決しようとする課題】
【０００４】
ところが、このような構造であると、扉等を開ける際にはダイヤルを照合させる操作と摘みを回す操作の少なくとも２段階の操作が必要になる。このため、煩わしく、また扉等を閉める際には再びダイヤルのリセットやラッチによる拘束のための操作をしなければならないため、更に操作の煩雑なものとなっている。また、前者のものは、扉等が開いた状態でダイヤルが揃っているため、周囲の者に視認されてセキュリティ上望ましくないという問題もある。さらに従来のものは、扉等を閉めた後にも、施錠のために摘みを回すようにしたり、扉等を閉めた後に施錠のために摘みを回し、さらに手動でダイヤルを別の番号に回すようにしているので、ここでも操作が煩雑なものとなっている。すなわち、従来のものは、扉等を解錠してから再び施錠するまでの手数が多く、使い勝手の煩雑なものである。
【０００５】
本発明は、このような課題に着目してなされたものであって、ダイヤル錠を用いたセキュリティ機能を比較的簡単に付加でき、施解錠に係る手数も少なくして使い勝手を向上させた施解錠装置を提供することを目的としている。
【課題を解決するための手段】
【０００６】
本発明は、かかる目的を達成するために、次のような手段を講じたものである。
【０００７】
すなわち、本発明の施解錠装置は、筐体を開閉する開閉部材側に把手を含むラッチ機構を備え、その開閉部材がダイヤル錠及び作動体を具備しており、ダイヤル錠が照合することにより開閉部材のロック状態が解除されるように構成するとともに、作動体は、ダイヤル錠の照合後に開閉部材が筐体から離れて開放される際に一方向に作動し、開閉部材が筐体に近づくことにより押し込まれて他方向に作動するものであり、前記他方向に作動する際に反発力を蓄積して、その反発力を利用して前記一方向への作動がなされるように構成しており、この作動体の作動を利用してダイヤル錠を非照合状態にリセットするようにしていることを特徴とする
【０００８】
このように構成すると、ダイヤル錠の照合後に開閉部材が筐体から離れる動作又は筐体に近づく動作を利用して作動体を作動させ、これによりダイヤルを非照合状態にリセットするので、開閉部材を開閉する操作以外にリセットのための別段の操作を行うことを不要にして、操作をワンアクション減らすことができる。しかも、作動体は筐体と開閉部材との間にあって押し込まれて他方向に作動しつつ反発力を蓄積し、その反発力を利用して開放される際に一方向に作動するものであり、ダイヤル錠及び作動体を開閉部材に設けているので、開閉部材の開閉動作を利用しつつも、両者間に亘ってリンク等を配置するような複雑かつ収納空間の妨げになる構成も有効に回避することができる。また、ダイヤル錠が照合することにより開閉部材のロック状態が解除されるように構成しているために、余分な操作が不要となり良好な操作性を得ることができる。さらに、開閉部材側に把手を含むラッチ機構を有し、ダイヤル錠および作動体も開閉部材側に設けているために、一層良好な操作性を得ることができる。
【０００９】
なお、ここに言う非照合状態へのリセットには、いわゆるゼロリセットと称する態様のほか、特定番号にリセットする態様、或いは照合状態をランダムに解除する態様が含まれる。以下、広義でリセットと言うときには同様である。
【００１０】
作動体の好ましい実施の態様としては、他方向に作動する際に押し込まれて反発力を蓄積し、その反発力を利用して一方向に作動するようにしているものが挙げられる。
【００１１】
このような作動体の作動を簡易に実現するためには、作動体は、押し込まれることによって閉止時における開閉部材と筐体との境界部分にまで没入し、開放されることによってその境界部分から突出するように配置されていることが好適である。
或いは、作動体は、開閉部材の閉止時に押し込まれることによって筐体と開閉部材とによって閉成される空間内に収容され、開閉部材の開成時に押し込み時とは逆方向に作動しながらその空間から開放されるように配置されているものも好適である。
この場合、作動体は、筐体の収納空間の内壁に突き当たって押し込まれるようにしていることが望ましい。
【００１２】
セキュリティ機能を有効に高めるためには、ダイヤル錠は、開閉部材が筐体から離れる際の作動体の作動を利用して非照合状態にリセットされるように構成されていることが望ましい。
【００１４】
同様の趣旨で、作動体の作動を利用して、開閉部材を次に閉止位置に移動させただけで自動的にロックが掛かる状態に移行させるようにしていることが効果的である。
【００１６】
ラッチ機構の好ましい実施の態様としては、把手に入力される操作力を回転軸を含む伝達系を介してラッチに伝え、当該ラッチを解除可能とするものであり、その伝達系の一部を断接切替する位置にクラッチを設け、ダイヤル錠の非照合時にそのクラッチをオフにし、ダイヤル錠の照合時にそのクラッチをオンにするようにダイヤル錠とクラッチとを直接又は間接に関連づけているものが挙げられる。    
【００１７】
本発明は種々の開閉部材に適用が可能であり、当該開閉部材が引出である場合には、その引出の鏡板の裏面又は筐体の対応する前面の何れか一方に作動体を設ければよく、当該開閉部材が扉である場合には、その扉の吊元側の縁部若しくは縁部近傍の裏面又は筐体の対応する前面の何れか一方に、或いはその扉の反吊元側の縁部若しくは縁部近傍の裏面又は筐体の対応する前面の何れか一方に作動体を設ければよい。
【発明の効果】
【００１８】
本発明は、以上説明した構成であるから、ダイヤル錠を照合状態にして開閉部材を開成させるだけで別段の操作をすることなく再び非照合状態にリセットすることができ、しかも開閉部材の開閉に伴う作動体の押し込み、開放動作を利用してそのリセットを行うので、開閉部材側又は筐体側の何れかへの作動体等の組み込みによって簡易に構成することができ、構造の簡素化やコストダウンも図れるようにした、優れた施解錠装置を提供することが可能となる。
【発明を実施するための最良の形態】
【００１９】
以下、本発明の一実施形態を、図面を参照して説明する。
【００２０】
図１は、この実施形態の施解錠装置１を適用した収納装置２を示している。この収納装置２は、筐体２１内に開閉部材である引出２２を配置し、引出２２にラッチ機構３を組み込んで、引出２２を筐体２１に係留可能かつ引出２２の鏡板２２ａに設けた把手３１によって当該係留状態を解除可能にしており、そのラッチ機構３を利用しつつ引出２２の鏡板２２ａ内において、引出２２の施解錠を行う施解錠装置１を構成している。なお、引出２２が複数段に亘って配置されるときは、この実施形態の施解錠装置１は個別に引出２２の施解錠を実現するものであり、引出２２ごとに利用者が異なる場合等に有効となるものである。
【００２１】
引出２２は、図２に示すように、引出本体２２ｂの前面側に鏡板２２ａを一体的に取り付けたものである。図２は鏡板２２ａを構成する前面側の化粧板を取り外した状態を示しており、鏡板２２ａを構成する背面板２２ａ１に各種要素部品を取り付けている。
【００２２】
ラッチ機構３は、図２及び図３（ａ）に示すように、鏡板２２ａと引出本体２２ｂとの境界部分に設けた樹脂部材３２より側方に向けて弾性的にラッチ爪３３を突出させており、このラッチ爪３３を、図３（ａ）に示すように収納装置２を構成する筐体２１の側板２１ａの内面に設けた凹所２１ｂに引出２２を押し込んだ際に係り合わせるようにしたもので、把手３１に操作力が入力されると、回転軸３４を含む伝達系Ａを介してラッチ３３を没入方向に作動させるようにしている。
【００２３】
伝達系Ａは、図２及び図３（ａ）に示すように、回転軸３４と、この回転軸３４の端部付近に配置された逆Ｌ字状の中間体３５と、回転軸３４の水平軸回りの回転を中間体３５の鉛直軸回りの回転に変換するアーム３６と、中間体３５の鉛直軸回りの正逆回転をラッチ３３の鉛直軸回りの一方向の動作に変換する変換部３７とを備え、把手３１を上下何れの方向に操作してもラッチ３３を没入方向に作動させ得るようにしている。図３（ｂ）は変換部３７の原理を例示したものであり、中間体３５の回転によって天秤部材３７ａが何れの方向に回転しても、Ｌ字形の揺動体３７ｂが同一方向に回転して、この揺動体３７ｂの先端に係り合うラッチ３３を没入方向に回転させるようになっている。図示の場合、揺動体３７ｂはバネ等の弾性体３７ｃによってラッチ３３を突出させる方向に押し付けられている。
【００２４】
一方、本実施形態の施解錠装置１は、図２及び図４等に示す引出２２の鏡板２２ａ内において、把手３１と回転軸３４との間にクラッチ１１を介在させ、このクラッチ１１にカム１２を係り合わせた上で、このカム１２に施錠状態から解錠状態への切り替え動作を与えるべく、当該引出２２の把手３１の近傍に入力部たるダイヤル錠１３を設けている。
【００２５】
把手３１は、図５（ａ）、（ｂ）に示すように回転軸３４に回転自在に遊嵌され、クラッチ１１は把手３１の隣接位置において回転軸３４に一体回転可能かつ軸方向にスライド可能に配されたもので、回転軸３４の軸心から変位した位置においてクラッチ１１の一部に設けた関連部１１ａが把手３１の一部に設けた被関連部３１ａに係り合った図５（ｃ）の状態（クラッチオンの状態）で把手３１の回転をクラッチ１１を介して回転軸３４に伝えるとともに、その係り合いが解除された図５（ａ）の状態（クラッチオフの状態）で把手３１の回転を回転軸３４に伝えずに空転自在とするものである。
【００２６】
カム１２は、図２及び図４に示すように鏡板２２ａの背面板２２ａ１に水平軸ｍ回りに取り付けた板状のもので、水平軸ｍから変位した先端部１２ａを図４及び図５に示すようにクラッチ１１の一部に設けた係り合い部１１ｂに常時係り合わせている。そして、カム１２が正面視右回りに回転した図６の施錠位置で図５（ａ）に示すようにクラッチ１１をオフにし、正面視左回りに回転した図４の解錠位置で図５（ｃ）に示すようにクラッチ１１をオンにするようにしている。この実施形態の場合、カム１２はバネ等の弾性体１５によって図４の解錠位置に向かって弾性付勢されている。
【００２７】
ダイヤル錠１３は、基本的な機構自体は一般的なものであるため内部機構の主要部分は省略するが、図４に示すようにケーシング１３ａから一側方に回動可能にレバー１３ｂが突出していて、このレバー１３ｂの先端がカム１２の水平軸ｍから変位した部位に連結軸ｎを介して接続してあり、図６に示す非照合時にレバー１３ｂが下方に回動してその位置に保持され、図４に示す照合時にそのレバー１３ｂの保持力が解除されるように構成している。すなわち、図６に示すダイヤル錠１３の非照合時には、弾性体１５に抗してカム１２が施錠位置に保持されるので、把手３１と回転軸３４とが解離して、把手３１を操作しても空転するだけの施錠状態をとる。一方、レバー１３ｂの保持力が解除されると、前述したようにカム１２は解錠位置に向かって弾性体１５により弾性付勢されているので、これがトリガーとなってカム１２が図６→図４のように解錠位置に移動して把手３１と回転軸３４とをクラッチ１１により接続し、把手３１によってラッチ解除が可能な解錠状態となる。
【００２８】
そして、本実施形態は、図２及び図４に示すように引出２２の一部にダイヤル錠１３とともに作動体４を配し、この作動体４を、ダイヤル錠１３の照合後に引出２２が筐体２１から離れて開放される際に図２に矢印Ｐで示す一方向（鏡板２２ａから後方に突出する方向）に作動させるとともに、引出２２が筐体２１に近づく際の押し込み反力により矢印Ｑで示す他方向（鏡板２２ａ内に没入する方向）に作動させるようにしており、この作動体４の作動を利用してダイヤル錠１３を非照合状態にリセットするようにしている。
【００２９】
具体的に説明すると、作動体４は、図２、図７及び図８等に示すように、鏡板２２ａを構成する背面板２２ａ１の側縁近傍の裏面に配置された樹脂等によりなる円柱体状のもので、Ｔ字状の支持体４１を介して背面板２２ａの裏面付近に鉛直軸Ｌ１を介して回転可能に取り付けられている。そして、図８（ａ）→（ｂ）→（ｃ）→（ｄ）のように引出２２が筐体２１内に押し込まれた際に筐体２１の側板２１の前面２１ｘに突き当たってその反力で鏡板２２ａ内に押し込まれて没入し、逆に図８（ｄ）→（ｃ）→（ｂ）→（ａ）のように引出２２が筐体２１から離れた際には押し込み力が消失して後方に突出するようにしている。この突出動作は、後述する弾性体１３０（図９参照）の弾性力を利用してもよいいし、別途適宜の位置に弾性体を組み込んでもよい。
【００３０】
そして、この作動体４の動きを連動機構５を介して、ダイヤル錠１３から他側方に突出させたリセット杆１３ｃを連動させるようにしている。連動機構５は、図２、図７及び図８等に示すように、鏡板２２ａの背面板２２ａ１の前面側に支軸Ｌ２回りに回転可能に取り付けた可動ブラケット５１と、この可動ブラケット５１の軸心Ｌ２から変位した部位と前記Ｔ字状の支持体４１の軸心Ｌ１から変位した部位との間を接続して支持体４１の回転と可動ブラケット５１の回転とを連動させる第１リンク５２と、可動ブラケット５１の回転動作とリセット杆１３ｃのケーシング１３ａからの突没動作とを連動させる第２リンク５３とを具備してなる。
【００３１】
リセット杆１３ｃは、図９に模式的に示すように、内部に設けたバネ等の弾性体１３０によってダイヤル錠１３のケーシング１３ａから外側方に突出する方向に付勢されており、弾性体１３０に抗して没入する際にはダイヤル錠１３のダイヤル状態に影響を及ぼさず、弾性体１３０に付勢されてケーシング１３ａから突出する際にはダイヤル錠１３のダイヤルをゼロリセットすべく構成されている。ゼロリセットを含めてダイヤルの非照合時には反対側から突出するレバー１３ｂが下方回動位置に保持され、照合時にその保持力が解除されるのは既述したところである。
【００３２】
すなわち、引出２２が図８（ｄ）に示す閉止位置にあって作動体４が筐体２１の前面２１ｘにより鏡板２２ａ内に押し込まれて没入位置にあるときには、連動機構５を介してリセット杆１３ｃが押し込まれた状態にある。このときダイヤル錠１３が非照合状態にあれば、図６に示すようにレバー１３ｂには下方回動位置にて保持力が働き、カム１２がクラッチ１１をオフにする施錠位置に保持される。次に、ダイヤル錠１３を照合させると、レバー１３ｂの保持力が解除され、これがトリガーとなってカム１２が図４に示す解錠位置に移動して把手３１と回転軸３４とをクラッチ１１により接続し、把手３１が操作可能な状態となる。把手３１によりラッチ３３を解除して引出２２を引き出すと、図８（ｄ）→（ｃ）→（ｂ）→（ａ）のように没入位置にあった作動体４が鏡板２２ａの裏面から背面側に突出し、それまで連動機構５を介して押し込まれていたリセット杆１３ｃが図９に示す弾性体１３０の蓄積する弾性力によって外側方に押し出される。これにより、ダイヤル錠１３はゼロリセットされる。このゼロリセットのとき、レバー１３ｂが下方回動位置まで回動してその位置に保持されるように構成されており、これによりカム１２は図４→図６のように弾性体１５に抗して施錠位置に移動し、クラッチ１１は再びオフの状態となる。引出２２を押し込むときはクラッチ１１がオフの状態にあるため、ラッチ３３が一時的に没入しながら引出２２は収納位置に係留される。このとき、作動体は図８（ａ）→（ｂ）→（ｃ）→（ｄ）のように没入し、リセット杆１３ｃは再び弾性体１３０に抗して押し込まれるが、このときダイヤル錠１３のダイヤルはゼロリセット状態を維持する。
【００３３】
以上のように、本実施形態の施解錠装置は、筐体２１を開閉する引出２２側に把手３１を含むラッチ機構３を備え、その引出２２がダイヤル錠１３及び作動体４を具備しており、ダイヤル錠１３が照合することにより引出２２のロック状態が解除されるように構成するとともに、作動体４は、ダイヤル錠１３の照合後に引出２２が筐体２１から離れて開放される際に一方向に作動し、引出２２が筐体２１に近づくことにより押し込まれて他方向に作動するものであり、上記他方向に作動する際に反発力を蓄積して、その反発力を利用して上記一方向への作動がなされるように構成しており、この作動体４の作動を利用してダイヤル錠１３を非照合状態にリセットするようにしている。
【００３４】
このように、ダイヤル錠１３の照合後に引出２２の筐体２１に対する相対動作を利用して作動体４を作動させ、これによりダイヤルを非照合状態にリセットするので、引出２２を開閉する操作以外にリセットのための別段の操作を行うことを不要にして、操作をワンアクション減らすことができる。しかも、作動体４は筐体２１と引出２２との間にあって相手方の部材によって押し込まれるか或いは開放されるかによって作動するものであり、ダイヤル錠１３及び作動体４を引出２側にともに配置しておけばよいので、引出２２の開閉動作を利用しつつも、両者間に亘ってリンク等を配置するような複雑かつ収納空間の妨げになる構成も有効に回避することができる。
【００３５】
そして、作動体４は、他方向に作動する際に押し込まれて弾性体１３０に反発力を蓄積し、その反発力を利用して一方向に作動するものであるので、作動体４に弾性体１３０等の弾性力を作用させるだけで一方向及び他方向への動きを容易に実現することができる。
【００３６】
また、ダイヤル錠１３が照合することにより引出２２のロック状態が自動的に解除されるように構成しているために、ダイヤル錠機構でありながら照合によって即座にロックを解除させられるので、少なくとも摘みを回すといった別段の解錠操作が不要となり、操作をワンアクション減らすことができる。
【００３７】
さらには、引出２２側に把手３１を含むラッチ機構３を有し、ダイヤル錠１３および作動体４も引出２２側に設けているので、ダイヤル錠１３の操作と把手３１の操作を一連に行う配置が可能になり、操作性を格段に向上させることができる。
【００３８】
また、作動体４が、押し込まれることによって閉止時における引出２２と筐体２１との境界部分にまで没入し、開放されることによってその境界部分から突出するように配置されており、作動体４を押し込む相手方である筐体２１の前面２１ｘをそのまま利用することができ、引出２２側にのみ作動体４を組み込めば足りるので、作り込みも容易なものとなる。
【００３９】
セキュリティの観点からすると、ダイヤル錠１３は、引出２２が筐体２１から離れる際の作動体４の作動を利用して非照合状態にリセットされるように構成されているので、引出２２を開け始めるときに照合番号がリセットされることになり、引出２２を開けた状態で照合番号が周囲の者に視認されることを有効に回避することができる。
【００４０】
或いは、作動体４の作動を利用して、引出２２を次に閉止位置に移動させただけで自動的にロックが掛かる状態に移行させるようにしているので、ダイヤル錠機構でありながら余分な操作をせずに再度のロック状態にスムーズに移行することができる。
【００４１】
ラッチ機構３としては、把手３１に入力される操作力を回転軸を含む伝達系Ａを介してラッチに伝え、当該ラッチを解除可能とするものであり、その伝達系Ａの一部を断接切替する位置にクラッチ１１を設け、ダイヤル錠１３の非照合時にそのクラッチ１１をオフにし、ダイヤル錠１３の照合時にそのクラッチ１１をオンにするようにダイヤル錠１３とクラッチ１１とを関連づけているので、ダイヤル錠１３の照合によって引出２２のロック状態を解除し、或いはダイヤル錠１３の非照合状態へのリセットによって引出２２をロック可能状態にするという作用を、既存のラッチ機構３の一部を利用して有効に実現することができ、ロック状態とロック解除状態との間の切替も極めて軽微な動作で行うことができる。しかも、ロック時には把手３１を操作しても空転するだけで操作力はラッチに伝達されないので、無理な操作が加えられてラッチが破損する事態も有効に回避することができる。
【００４２】
そして、開閉部材が引出２２であり、その引出２２の鏡板２２ａの裏面に作動体４を設け、筐体２１の前面はそのまま利用するようにしているので、作動体４を設ける位置は図示例のように鏡板２２ａの側縁近傍の裏面のみならず、上縁側の裏面や下縁側の裏面にも設定することができ、設計自由度の高い構成となり得る。
【００４３】
なお、各部の具体的な構成は、上述した実施形態のみに限定されるものではなく、本発明の趣旨を逸脱しない範囲で種々変形が可能である。
【００４４】
例えば、上記実施形態では開閉部材である引出２２側にダイヤル錠１３及び作動体４を設けたが、筐体２１側にこれらのダイヤル錠１３及び作動体４を設ける態様を妨げるものではない。
【００４５】
また、ダイヤル錠１３の照合、引出後に引出２２に近づく動作（すなわち閉める際の動作）を利用して作動体４を作動させ、これによりダイヤルを非照合状態にリセットするように構成しても、本発明の基本的な作用効果は奏することができる。
【００４６】
また、開閉部材は引出に限られず、例えば図１０、図１１に示すような扉１２２である場合にも本発明を有効に適用することができる。図１０のものは、扉１２２の吊元側の縁部若しくは縁部近傍の裏面に作動体４を設け、その対面位置にある筐体１２１の前面１２１ｘで作動体４を押し込むように構成したものである。勿論、作動体４を筐体１２１側に設けて扉１２２で押し込むように構成してもよい。或いは、図１１のものは、扉１２２の反吊元側の縁部若しくは縁部近傍の裏面に作動体４を設け、その対面位置にある筐体１２１の前面１２１ｘで作動体４を押し込むように構成したものである。勿論、この場合にも作動体４を筐体１２１側に設けて扉１２２で押し込むように構成してもよい。なお、これらの図面においてダイヤル錠及びダイヤル錠と作動体４を接続する伝達系は図示省略しているが、作動体４の作動を利用してダイヤル錠を非照合状態にリセットするように構成されるのは言うまでもない。
（第２実施形態）
図１２〜図１４は、本発明の第２実施形態を示している。これらの図において、引出２２やラッチ機構３、伝達機構Ａ、把手３１、施解錠装置１、ダイヤル錠１３等、上記第１実施形態と基本的に同一部分には同一符号を付し、特に説明を要しない部分についてはこれに関する説明を省略している。
【００４７】
しかして、本実施形態は、引出２２の一部にダイヤル錠１３とともに作動体１０４を配し、この作動体１０４を、ダイヤル錠１３の照合後に引出２２が筐体２１から離れて開放される際に図１２に矢印Ｒで示す一方向（鏡板２２ａから離れて後方にスライド移動する方向）に作動させるとともに、引出２２が筐体２１に近づく際の押し込み反力により矢印Ｓで示す他方向（鏡板２２ａに近づく方向）に作動させるようにしており、この作動体１０４の作動を利用してダイヤル錠１３を非照合状態にリセットするようにしている。
【００４８】
具体的に説明すると、作動体１０４は、引出２の側板２２ｂの側面に設けたガイド孔（図示せず）等に前後スライド可能に係り合わせて配置された樹脂等によりなるもので、引出２２を筐体２１に向かって押し込んだ際に筐体２１の側板２１ａの前面２１ｘに前方から係り合う係合片１０４ａを有している。引出２２が図１３（ａ）の状態よりも更に前方へ引き出されているときには、係合片１０４ａは筐体２１の側板２１の前面２１ｘから前方へ離反した状態をとる。そして、この状態から図１３（ａ）→（ｂ）→図１４（ａ）→（ｂ）のように引出２２が筐体２１内に押し込まれると、係合片１０４ａが筐体２１の側板２１の前面２１ｘに突き当たってその反力で作動体１０４は鏡板２２ａに近づく方向に側板２２ｂ上を相対移動し、逆に図１４（ｂ）→（ａ）→図１３（ｂ）→（ａ）のように引出２２が筐体２１から離れる際には押し込み力が消失して作動体１０４は鏡板２２ａから遠ざかる方向に側板２２ｂ上を相対移動するようにしている。そして、図１３（ａ）の状態から更に引出２２が開成すると、作動体１０４は再び完全に筐体２の側板２１の前面２１ｘから前方へ離反した状態をとる。この突出動作は、図９に示した弾性体１３０の弾性力を利用してもよいいし、別途適宜の位置に弾性体を組み込んでもよい。
【００４９】
そして、この作動体１０４の動きに連動機構１０５を介して、ダイヤル錠１３から他側方に突出させたリセット杆１３ｃを連動させるようにしている。連動機構１０５は、図１２〜図１４に示すように、可動ブラケット１５１、第３リンク１５２及び第２リンク１５３を具備する。可動ブラケット１５１は、鏡板２２ａの背面板２２ａ１の前面側に支軸Ｌ３回りに回転可能に取り付けられ、第３リンク１５２は前記可動ブラケット１５１の軸心Ｌ３から変位した位置に設定した支軸Ｌ４と前記作動体１０４に設定した支軸Ｌ５との間を接続して作動体１０４のスライド動作と可動ブラケット１５１の回転動作とを連動させ、第２リンク１５３は前記可動ブラケット１５１の回転動作とリセット杆１３ｃのケーシング１３ａからの突没動作とを支軸Ｌ６を介して連動させる。
【００５０】
リセット杆１３ｃは、図９に基づいて既に説明したように、内部に設けたバネ等の弾性体１３０によってダイヤル錠１３のケーシング１３ａから外側方に突出する方向に付勢されており、弾性体１３０に抗して没入する際にはダイヤル錠１３のダイヤル状態に影響を及ぼさず、弾性体１３０に付勢されてケーシング１３ａから突出する際にはダイヤル錠１３のダイヤルをゼロリセットすべく構成されている。ゼロリセットを含めてダイヤルの非照合時には反対側から突出するレバー１３ｂが下方回動位置に保持され、照合時にその保持力が解除される点も既に述べたとおりである。
【００５１】
すなわち、引出２２が図１４（ｂ）に示す閉止位置にあって作動体１０４が筐体２１の前面２１ｘに支持されて鏡板２２ａの裏面２２ａｘに当接する位置までスライドしているときには、連動機構１０５を介してリセット杆１３ｃが図中左方向に押し込まれた状態にある。このときダイヤル錠１３が非照合状態にあれば、図６に示したようにレバー１３ｂには下方回動位置にて保持力が働き、カム１２がクラッチ１１をオフにする施錠位置に保持される。次に、ダイヤル錠１３を照合させると、レバー１３ｂの保持力が解除され、これがトリガーとなってカム１２が図４に示す解錠位置に移動して把手３１と回転軸３４とをクラッチ１１により接続し、把手３１が操作可能な状態となる。把手３１によりラッチ３３を解除して引出２２を引き出すと、図１４（ｂ）→（ａ）→図１３（ｂ）→（ａ）のように前方位置にあった作動体１０４が図９に示した弾性体１３０等に付勢されて鏡板２２ａの裏面２２ａｘから後方にスライド移動し、それまで連動機構１０５を介して押し込まれていたリセット杆１３ｃが外側方（図中右方向）に押し出される。これにより、ダイヤル錠１３はゼロリセットされる。このゼロリセットのとき、レバー１３ｂが下方回動位置まで回動してその位置に保持されるように構成されており、これによりカム１２は図４→図６のように弾性体１５に抗して施錠位置に移動し、クラッチ１１は再びオフの状態となる。引出２２を押し込むときはクラッチ１１がオフの状態にあるため、ラッチ３３が一時的に没入しながら引出２２は収納位置に係留される。このとき、作動体１０４は図１３（ａ）→（ｂ）→図１４（ａ）→（ｂ）のように引出２２上を前方へスライド移動し、リセット杆１３ｃは再び弾性体１３０に抗して押し込まれるが、このときダイヤル錠１３のダイヤルはゼロリセット状態を維持する。
【００５２】
以上のように、この実施形態の施解錠装置も、筐体２１を開閉する引出２２側に把手３１を含むラッチ機構３を備え、その引出２２がダイヤル錠１３及び作動体１０４を具備しており、ダイヤル錠が照合することにより開閉部材のロック状態が解除されるように構成するとともに、作動体１０４は、ダイヤル錠１３の照合後に引出２２が筐体２１から離れて開放される際に一方向に作動し、引出２２が筐体２１に近づくことにより押し込まれて他方向に作動するものであり、上記他方向に作動する際に反発力を蓄積して、その反発力を利用して上記一方向への作動がなされるように構成しており、この作動体１０４の作動を利用してダイヤル錠１３を非照合状態にリセットするようにしている。
【００５３】
このように、ダイヤル錠１３の照合後に引出２２の筐体２１に対する相対動作を利用して作動体１０４を作動させ、これによりダイヤルを非照合状態にリセットするので、引出２２を開閉する操作以外にリセットのための別段の操作を行うことを不要にして、操作をワンアクション減らすことができる。しかも、作動体１０４は筐体２１と引出２２との間にあって相手方の部材によって押し込まれるか或いは開放されるかによって作動するものであり、ダイヤル錠１３及び作動体１０４を引出２側にともに配置しておけばよいので、引出２２の開閉動作を利用しつつも、両者間に亘ってリンク等を配置するような複雑かつ収納空間の妨げになる構成も有効に回避することができる。
【００５４】
そして、作動体１０４は、他方向に作動する際に押し込まれて弾性体１３０に反発力を蓄積し、その反発力を利用して一方向に作動するものであるので、作動体１０４に弾性体１３０等の弾性力を作用させるだけで一方向及び他方向への動きを容易に実現することができる。
【００５５】
また、ダイヤル錠１３が照合することにより引出２２のロック状態が自動的に解除されるように構成しているために、ダイヤル錠機構でありながら照合によって即座にロックを解除させられるので、少なくとも摘みを回すといった別段の解錠操作が不要となり、操作をワンアクション減らすことができる。
【００５６】
さらには、引出２２側に把手３１を含むラッチ機構３を有し、ダイヤル錠１３および作動体１０４も引出２２側に設けているので、ダイヤル錠１３の操作と把手３１の操作を一連に行う配置が可能になり、操作性を格段に向上させることができる。
【００５７】
また、作動体１０４が、押し込まれることによって閉止時における引出２２と筐体２１との境界部分にまで没入し、開放されることによってその境界部分から突出するように配置されており、作動体１０４を押し込む相手方である筐体２１の前面２１ｘをそのまま利用することができ、引出２２側にのみ作動体１０４を組み込めば足りるので、作り込みも容易なものとなる。
【００５８】
セキュリティの観点からすると、ダイヤル錠１３は、引出２２が筐体２１から離れる際の作動体１０４の作動を利用して非照合状態にリセットされるように構成されているので、引出２２を開け始めるときに照合番号がリセットされることになり、引出２２を開けた状態で照合番号が周囲の者に視認されることを有効に回避することができる。
【００５９】
或いは、作動体１０４の作動を利用して、引出２２を次に閉止位置に移動させただけで自動的にロックが掛かる状態に移行させるようにしているので、ダイヤル錠機構でありながら余分な操作をせずに再度のロック状態にスムーズに移行することができる。
【００６０】
ラッチ機構３としては、把手３１に入力される操作力を回転軸３４を含む伝達系Ａを介してラッチ３３に伝え、当該ラッチ３３を解除可能とするものであり、その伝達系Ａの一部を断接切替する位置にクラッチ１１を設け、ダイヤル錠１３の非照合時にそのクラッチ１１をオフにし、ダイヤル錠１３の照合時にそのクラッチ１１をオンにするようにダイヤル錠１３とクラッチ１１とを関連づけているので、ダイヤル錠１３の照合によって引出２２のロック状態を解除し、或いはダイヤル錠１３の非照合状態へのリセットによって引出２２をロック可能状態にするという作用を、既存のラッチ機構３の一部を利用して有効に実現することができ、ロック状態とロック解除状態との間の切替も極めて軽微な動作で行うことができる。しかも、ロック時には把手３１を操作しても空転するだけで操作力はラッチ３３に伝達されないので、無理な操作が加えられてラッチ３３が破損する事態も有効に回避することができる。
【００６１】
そして、開閉部材が引出２２であり、その引出２２の鏡板２２ａの裏面に作動体１０４を設け、筐体２１の前面はそのまま利用するようにしているので、作動体１０４を設ける位置は図示例のように鏡板２２ａの側縁近傍の裏面のみならず、上縁側の裏面や下縁側の裏面にも設定することができ、設計自由度の高い構成となり得る。また、作動体１０４は、引出２２の閉止時に押し込まれることによって筐体２１と引出２２の鏡板２２ａとによって閉成される空間内に収容されるようにしているので、閉止時における見栄えを有効に向上させることができる。
（第３実施形態）
【００６２】
以下、本発明の第３実施形態を、図１５〜図１７を参照して説明する。
【００６３】
これらの図は、本実施形態の施解錠装置２０１を適用した収納装置２０２を示している。この収納装置２０２は、筐体２２１の収納空間を開閉する位置に開閉部材である扉２２２を配置し、扉２２２にラッチ機構２０３を組み込んで、扉２２２を筐体２２１に係留可能かつ扉２２２に設けた把手２３１によって当該係留状態を解除可能にしており、そのラッチ機構２０３を利用しつつ扉２２２内において、扉２２２の施解錠を行う施解錠装置２０１を構成している。
【００６４】
扉２２２は、筐体２２１の側板２２１ｂにヒンジ機構Ｈを介して一端側を取り付けられたもので、ヒンジ機構Ｈは扉２２２を開くにつれてヒンジ軸を前方に持ち出す、いわゆる持出し兆番と称されるものである。側板２２１ｂの前面には前方に向かって凹となる段部２２１ｘが形成されており、扉２２２を閉止した際に、図１７（ｂ）に示すようにその凹となる段部２２１ｘ内に扉２２２の側縁２２２ｂの厚み部分が収まるようになっている。
【００６５】
ラッチ機構２０３は、図１５に示すように、扉２２２の上下両縁から背面に突出させて設けた樹脂部材２３２より側方に向けて弾性的にラッチ爪２３３を突出させており、このラッチ爪２３３を、収納装置２０２を構成する筐体２２１の前面の図示しない部位に設けた凹所に扉２２２を押し込んだ際に係り合わせるようにしたもので、把手２３１に操作力が入力されると、回転軸２３４を含む伝達系を介してラッチ２３３を没入方向に作動させるようにしている。
【００６６】
伝達系は、図３（ｂ）に示した変換部３７と同様の原理によって、把手２３１を左右何れの方向に操作してもラッチ２３３を没入方向に作動させることができるものである。この場合も、ラッチ２３３はバネ等によって突出方向に押し付けられている。
【００６７】
一方、本実施形態の施解錠装置２０１は、扉２２２内において、把手２３１と回転軸２３４との間にクラッチ２１１を介在させ、このクラッチ２１１にリンク２１２を係り合わせた上で、このリンク２１２に施錠状態から解錠状態への切り替え動作を与えるべく、当該扉２２２の把手２３１の近傍に入力部たるダイヤル錠２１３を設けている。
【００６８】
把手２３１は、図５と同様の構造により、回転軸２３４に回転自在に遊嵌され、クラッチ２１１は把手２３１の隣接位置において回転軸２３４に一体回転可能かつ軸方向にスライド可能に配されたもので、回転軸２３４の軸心から変位した位置においてクラッチ２１１の一部に設けた関連部２１１ａが把手２３１の一部に設けた被関連部（図１５では図示省略）に係り合った図５（ｃ）と同様の状態（クラッチオンの状態）で把手２３１の回転をクラッチ２１１を介して回転軸２３４に伝えるとともに、その係り合いが解除された図５（ａ）と同様の状態（クラッチオフの状態）で把手２３１の回転を回転軸２３４に伝えずに空転自在とするものである。
【００６９】
リンク２１２は、一端を前記クラッチ２１１に軸ｆを介して接続され他端を次に述べるレバー２１３ｂに軸ｇを介し接続して昇降可能に配されたもので、リンク２１２が降下した図６と同様の施錠位置で図５（ａ）に示したと同様にしてクラッチ２１１をオフにし、リンク２１２が上昇した図４と同様の解錠位置で図５（ｃ）に示したと同様にしてクラッチ２１１をオンにするようにしている。
【００７０】
ダイヤル錠２１３は、図４に示したと同様、ケーシング２１３ａから一側方に回動可能にレバー２１３ｂが突出していて、このレバー２１３ｂの先端が前述したリンク２１２に軸ｇを介して接続してあり、図６に示したと同様の非照合時にレバー２１３ｂが下方に降下してその位置に保持され、図４に示したと同様の照合時にそのレバー２１３ｂの保持力が解除されるように構成している。すなわち、ダイヤル錠１３の非照合時には、リンク２１２が下方の施錠位置に保持されるので、把手２３１と回転軸２３４とが解離して、把手２３１を操作しても空転するだけの施錠状態をとる。一方、レバー２１３ｂの保持力が解除されると、これがトリガーとなってリンク２１２が図６→図４と同様に解錠位置に向かって上昇して、把手２３１と回転軸２３４とをクラッチ２１１により接続し、把手２３１によってラッチ解除が可能な解錠状態となる。
【００７１】
そして、本実施形態は、扉２２２の吊元側にダイヤル錠２１３とともに作動体２０４を配し、この作動体２０４を、ダイヤル錠２１３の照合後に扉２２２が筐体２２１から離れて開放される際に図１６に矢印Ｔで示す一方向（扉２２２から後側方に突出する方向）に作動させるとともに、扉２２２が筐体２２１に近づく際の押し込み反力により矢印Ｕで示す他方向（扉２２２内に没入する方向）に作動させるようにしており、この作動体２０４の作動を利用してダイヤル錠２１３を非照合状態にリセットするようにしている。
【００７２】
具体的に説明すると、作動体２０４は、扉２２２の裏面近傍において当該扉２２２の巾方向に沿って進退する作動杆２０４ａの先端に取り付けられ、先端を筐体２０１の側板２２１の内側面２２１ｂに臨む位置に配置した樹脂製のもので、受圧面２０４ｂを凹状の段部２２１ｘと内側面２２１ｂとのコーナー部分Ｃに臨んで配置している。そして、図１６（ａ）→（ｂ）→図１７（ａ）→（ｂ）のように扉２２２が閉止動作を行った際に、作動体２０４は筐体２２１の側板２２１のコーナー部Ｃ（最終位置では内側面２２１ｂ）に突き当たってその反力で扉２２２の側縁２２２ｂから没入する方向に押し込まれ、逆に図１７（ｂ）→（ａ）→図１６（ｂ）→（ａ）のように扉２２２が開成動作を行った際にはコーナー部Ｃが遠ざかるため作動体２０４は当該コーナー部Ｃに向かって扉２２２から斜め後方に突出するようにしている。図１６（ａ）から更に扉２２２が開成すると、作動体２０４は完全にコーナー部Ｃから斜め前方に離れることになる。この突出動作は、後述する弾性体１３０（図９参照）の弾性力を利用してもよいし、別途適宜の位置に弾性体を組み込んでもよい。
【００７３】
そして、作動杆２０４の基端２０４ａをダイヤル錠２１３から他側方に突出させたリセット杆２１３ｃに連動部５において接続して、作動体２０４の動きとリセット杆２１３ｃとを連動させるようにしている。
【００７４】
リセット杆２１３ｃは、図９に示したと同様に、内部に設けたバネ等の弾性体１３０によってダイヤル錠２１３のケーシング２１３ａから外側方に突出する方向に付勢されており、弾性体１３０に抗して没入する際にはダイヤル錠２１３のダイヤル状態に影響を及ぼさず、弾性体１３０に付勢されてケーシング２１３ａから突出する際にはダイヤル錠２１３のダイヤルをゼロリセットすべく構成されている。ゼロリセットを含めてダイヤルの非照合時には反対側から突出するレバー２１３ｂが下方回動位置に保持され、照合時にその保持力が解除されるのは既述したところである。
【００７５】
すなわち、扉２２２が図１７（ｂ）に示す閉止位置にあって作動体２０４が筐体２２１のコーナー部Ｃ（若しくは内側面２２１ｂ）により扉２２２の内側に押し込まれて没入位置にあるときには、連動部５を介してリセット杆２１３ｃが押し込まれた状態にある。このときダイヤル錠２１３が非照合状態にあれば、図６に示したと同様にレバー２１３ｂには下方回動位置にて保持力が働き、リンク２１２がクラッチ２１１をオフにする施錠位置（降下位置）に保持される。次に、ダイヤル錠２１３を照合させると、レバー２１３ｂの保持力が解除され、これがトリガーとなってリンク２１２が図４に示したと同様に解錠位置（上昇位置）に移動して把手２３１と回転軸２３４とをクラッチ２１１により接続し、把手２３１が操作可能な状態となる。把手２３１によりラッチ２３３を解除して扉２２２を開成させると、図１７（ｂ）→（ａ）→図１６（ｂ）→（ａ）のように没入位置にあった作動体２０４が扉２２２の吊元側において筐体２０２のコーナー部Ｃに向かって突出し、それまで連動部５を介して押し込まれていたリセット杆２１３ｃが図９に示す弾性体１３０の蓄積する弾性力によって外側方に押し出される。これにより、ダイヤル錠２１３はゼロリセットされる。このゼロリセットのとき、レバー２１３ｂが下方回動位置まで回動してその位置に保持されるように構成されており、これによりリンク２１２は降下して図４→図６の状態変化と同様に施錠位置に移動し、クラッチ２１１は再びオフの状態となる。扉２２２を閉止するときはクラッチ２１１がオフの状態にあるため、ラッチ２３３が一時的に没入しながら扉２２２は収納位置に係留される。このとき、作動体は図１６（ａ）→（ｂ）→図１７（ａ）→（ｂ）のように没入し、リセット杆２１３ｃは再び弾性体１３０に抗して押し込まれるが、このときダイヤル錠２１３のダイヤルはゼロリセット状態を維持する。
【００７６】
以上のように、本実施形態の施解錠装置は、筐体２２１を開閉する扉２２２側に把手２３１を含むラッチ機構２０３を備え、その扉２２２がダイヤル錠２１３及び作動体２０４を具備しており、ダイヤル錠２１３が照合することにより扉２２２のロック状態が解除されるように構成するとともに、作動体２０４は、ダイヤル錠２１３の照合後に扉２２２が筐体２２１から離れて開放される際に一方向に作動し、扉２２２が筐体２２１に近づくことにより押し込まれて他方向に作動するものであり、上記他方向に作動する際に反発力を蓄積して、その反発力を利用して上記一方向への作動がなされるように構成しており、この作動体２０４の作動を利用してダイヤル錠２１３を非照合状態にリセットするようにしている。
【００７７】
このように、ダイヤル錠２１３の照合後に扉２２２の筐体２２１に対する相対動作を利用して作動体２０４を作動させ、これによりダイヤルを非照合状態にリセットするので、扉２２２を開閉する操作以外にリセットのための別段の操作を行うことを不要にして、操作をワンアクション減らすことができる。しかも、作動体２０４は筐体２２１と扉２２２との間にあって相手方の部材によって押し込まれるか或いは開放されるかによって作動するものであり、ダイヤル錠２１３及び作動体２０４を扉２２２側にともに配置しておけばよいので、扉２２２の開閉動作を利用しつつも、両者間に亘ってリンク等を配置するような複雑かつ収納空間の妨げになる構成も有効に回避することができる。
【００７８】
そして、作動体２０４は、他方向に作動する際に押し込まれて弾性体１３０に反発力を蓄積し、その反発力を利用して一方向に作動するものであるので、作動体２０４に弾性体１３０等の弾性力を作用させるだけで一方向及び他方向への動きを容易に実現することができる。
【００７９】
また、ダイヤル錠２１３が照合することにより扉２２２のロック状態が自動的に解除されるように構成しており、ダイヤル錠機構でありながら照合によって即座にロックを解除させられるので、少なくとも摘みを回すといった別段の解錠操作が不要となり、操作をワンアクション減らすことができる。
【００８０】
さらには、扉２２２側に把手２３１を含むラッチ機構２０３を有し、ダイヤル錠２１３および作動体２０４も扉２２２側に設けているので、ダイヤル錠２１３の操作と把手２３１の操作を一連に行う配置が可能になり、操作性を格段に向上させることができる。
【００８１】
また、作動体２０４が、扉２２２の閉止時に押し込まれることによって筐体２２１と扉２２２とによって閉成される空間内に収容され、扉２２２の開成時に押し込み時とは逆方向に作動しながらその空間から開放されるように配置されるものであるため、所要の機能を損なうことなく、閉止時における収納装置２０２の外観を良好に保つことができる。しかも、作動体２０４を押し込む相手方である筐体２２１のコーナー部Ｃや内側面２２１ｂ等の収納空間の内壁をそのまま利用することができ、扉２２２側にのみ作動体２０４を組み込めば足りるので、作り込みも容易なものとなる。
【００８２】
セキュリティの観点からすると、ダイヤル錠２１３は、扉２２２が筐体２２１から離れる際の作動体２０４の作動を利用して非照合状態にリセットされるように構成されているので、扉２２２を開け始めるときに照合番号がリセットされることになり、扉２２２を開けた状態で照合番号が周囲の者に視認されることを有効に回避することができる。
【００８３】
或いは、作動体２０４の作動を利用して、扉２２２を次に閉止位置に移動させただけで自動的にロックが掛かる状態に移行させるようにしているので、ダイヤル錠機構でありながら余分な操作をせずに再度のロック状態にスムーズに移行することができる。
【００８４】
ラッチ機構２０３としては、把手２３１に入力される操作力を回転軸２３４を介してラッチ２３３に伝え、当該ラッチ２３３を解除可能とするものであり、その伝達系の一部を断接切替する位置にクラッチ２１１を設け、ダイヤル錠２１３の非照合時にそのクラッチ２１１をオフにし、ダイヤル錠２１３の照合時にそのクラッチ２１１をオンにするようにダイヤル錠２１３とクラッチ２１１とを関連づけているので、ダイヤル錠２１３の照合によって扉２２２のロック状態を解除し、或いはダイヤル錠２１３の非照合状態へのリセットによって扉２２２をロック可能状態にするという作用を、既存のラッチ機構２０３の一部を利用して有効に実現することができ、ロック状態とロック解除状態との間の切替も極めて軽微な動作で行うことができる。しかも、ロック時には把手２３１を操作しても空転するだけで操作力はラッチに伝達されないので、無理な操作が加えられてラッチが破損する事態も有効に回避することができる。
【００８５】
特に、開閉部材が扉２２２であり、その扉２２２の吊元側の縁部近傍の裏面側に作動体２０４を突没可能に設けるようにしており、扉２２２の閉止には外部から視認されない位置に隠蔽され、扉２２２の開成時にも扉２２２の吊元側の縁部２２２ｂに位置して極力目立たない状態で配されるので、収納装置の外観も良好に保つことができる。
【図面の簡単な説明】
【００８６】
【図１】本発明の一実施形態を適用した収納装置の斜視図。
【図２】同部分分解斜視図。
【図３】同実施形態のラッチ機構の一部を示す拡大平断面図。
【図４】同実施形態の鏡板内を示す部分拡大正面図。
【図５】同実施形態のクラッチ部分を示す部分拡大平断面図。
【図６】同実施形態の作用を示す図４に対応した図。
【図７】同実施形態の作動体をその周辺構造とともに示す部分拡大斜視図。
【図８】同実施形態の作動体の挙動を引出の操作とともに示す作用説明図。
【図９】同実施形態のダイヤル錠の機能説明図。
【図１０】本発明の変形例を示す図。
【図１１】本発明の他の変形例を示す図。
【図１２】本発明の第２実施形態を適用した収納装置の部分分解斜視図。
【図１３】同作用説明図。
【図１４】同作用説明図。
【図１５】本発明の第３実施形態を適用した収納装置の部分斜視図。
【図１６】同作用説明図。
【図１７】同作用説明図。
【符号の説明】
【００８７】
１…施解錠装置
２…収納装置
３…ラッチ機構
４…作動体
１１…クラッチ
１３…ダイヤル錠
２１…筐体
２２…開閉部材（引出）
３１…把手
３４…回転軸
３３…ラッチ
Ａ…伝達系
【図１】
0005099634.tif 000002
【図２】
0005099634.tif 000003
【図３】
0005099634.tif 000004
【図４】
0005099634.tif 000005
【図５】
0005099634.tif 000006
【図６】
0005099634.tif 000007
【図７】
0005099634.tif 000008
【図８】
0005099634.tif 000009
【図９】
0005099634.tif 000010
【図１０】
0005099634.tif 000011
【図１１】
0005099634.tif 000012
【図１２】
0005099634.tif 000013
【図１３】
0005099634.tif 000014
【図１４】
0005099634.tif 000015
【図１５】
0005099634.tif 000016
【図１６】
0005099634.tif 000017
【図１７】
0005099634.tif 000018